(57)【要約】【課題】  自分の通信端末のキャリアと借りる通信端末のキャリアとが異なる場合でも処理が複雑化することなく、他人の通信端末を自分の端末のように気兼ねなく、安心して使用可能な通信システムを提供する。【解決手段】  交換機１には特定の入力番号１３とそれに対応する課金番号１４とを関連付けて登録されている。携帯端末２−１からの発信時に携帯端末の課金番号指定サービスのアクセス番号がダイヤルされると、交換機１は携帯端末２−１にアナウンスを流す。携帯端末２−１から「ＩＤ番号１３１＋パスワード１３２」がダイヤルされると、交換機１は携帯端末２−１にアナウンスを流す。携帯端末２−１から着信番号がダイヤルされると、交換機１は携帯端末２−１と携帯端末２−２との通話を設定し、課金番号として「ＩＤ番号１３１＋パスワード１３２」に対応する課金番号を使用し、その課金情報を課金サーバに通知する。【選択図】      図２
2007043434.tif 000002
【特許請求の範囲】
【請求項１】
通信端末間の通話を交換機にて中継する通信システムであって、
前記交換機は、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて予め登録する記憶手段と、通信元の通信端末から前記特定の入力番号の入力が特定操作によって行われた時に当該特定の入力番号に対応する前記課金番号を前記記憶手段から検索する手段と、その検索された課金番号を使用して前記通信元の通信端末と通信先の通信端末との通話を設定する手段とを有することを特徴とする通信システム。
【請求項２】
前記交換機は、予め設定された前記通信端末の課金番号指定サービスのアクセス番号がダイヤルされた時に前記特定の入力番号の入力を促すメッセージを通知する手段と、前記特定の入力番号の入力が行われた時に前記通信先の通信端末の着信番号の入力を促すメッセージを通知する手段とを含むことを特徴とする請求項１記載の通信システム。
【請求項３】
前記交換機は、前記通信元の通信端末への課金情報をクレジットカードやプリペイドカードを扱う事業者のサーバに通知することを特徴とする請求項１または請求項２記載の通信システム。
【請求項４】
前記交換機は、外部指示に応答して前記記憶手段に保持された前記特定の入力番号と前記課金番号との対応付けの登録解除を行うことを特徴とする請求項１から請求項３のいずれか記載の通信システム。
【請求項５】
通信端末間の通話を中継する交換機であって、
少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて予め登録する記憶手段と、通信元の通信端末から前記特定の入力番号の入力が特定操作によって行われた時に当該特定の入力番号に対応する前記課金番号を前記記憶手段から検索する手段と、その検索された課金番号を使用して前記通信元の通信端末と通信先の通信端末との通話を設定する手段とを有することを特徴とする交換機。
【請求項６】
予め設定された前記通信端末の課金番号指定サービスのアクセス番号がダイヤルされた時に前記特定の入力番号の入力を促すメッセージを通知する手段と、前記特定の入力番号の入力が行われた時に前記通信先の通信端末の着信番号の入力を促すメッセージを通知する手段とを含むことを特徴とする請求項５記載の交換機。
【請求項７】
前記通信元の通信端末への課金情報をクレジットカードやプリペイドカードを扱う事業者のサーバに通知することを特徴とする請求項５または請求項６記載の交換機。
【請求項８】
外部指示に応答して前記記憶手段に保持された前記特定の入力番号と前記課金番号との対応付けの登録解除を行うことを特徴とする請求項５から請求項７のいずれか記載の交換機。
【請求項９】
通信端末間の通話を交換機にて中継する通信システムに用いる課金番号指定サービス方法であって、
前記交換機が、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて記憶手段に予め登録する処理と、通信元の通信端末から前記特定の入力番号の入力が特定操作によって行われた時に当該特定の入力番号に対応する前記課金番号を前記記憶手段から検索する処理と、その検索された課金番号を使用して前記通信元の通信端末と通信先の通信端末との通話を設定する処理とを実行することを特徴とする課金番号指定サービス方法。
【請求項１０】
前記交換機が、予め設定された前記通信端末の課金番号指定サービスのアクセス番号がダイヤルされた時に前記特定の入力番号の入力を促すメッセージを通知する処理と、前記特定の入力番号の入力が行われた時に前記通信先の通信端末の着信番号の入力を促すメッセージを通知する処理とを実行することを特徴とする請求項９記載の課金番号指定サービス方法。
【請求項１１】
前記交換機が、前記通信元の通信端末への課金情報をクレジットカードやプリペイドカードを扱う事業者のサーバに通知することを特徴とする請求項９または請求項１０記載の課金番号指定サービス方法。
【請求項１２】
前記交換機が、外部指示に応答して前記記憶手段に保持された前記特定の入力番号と前記課金番号との対応付けの登録解除を行うことを特徴とする請求項９から請求項１１のいずれか記載の課金番号指定サービス方法。
【請求項１３】
通信端末間の通話を交換機にて中継する通信システムに用いる課金番号指定サービス方法のプログラムであって、前記交換機のコンピュータに、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて記憶手段に予め登録する処理と、通信元の通信端末から前記特定の入力番号の入力が特定操作によって行われた時に当該特定の入力番号に対応する前記課金番号を前記記憶手段から検索する処理と、その検索された課金番号を使用して前記通信元の通信端末と通信先の通信端末との通話を設定する処理とを実行させるためのプログラム。
【発明の詳細な説明】
【技術分野】
【０００１】
本発明は通信システム、交換機及びそれらに用いる課金番号指定サービス方法並びにそのプログラムに関し、特に移動通信システムにおける携帯端末への課金番号指定サービスに関する。
【背景技術】
【０００２】
従来、上記の移動通信システムにおいては、携帯端末からの発信時に、発信者の「携帯端末の課金番号」または「携帯端末に挿入するＳＩＭ（Ｓｕｂｓｃｒｉｂｅｒ  Ｉｄｅｎｔｉｔｙ  Ｍｏｄｕｌｅ）の課金番号」に通話料金が課金されている。
【０００３】
つまり、発信者が誰であっても、発信側の携帯端末（またはＳＩＭ）の課金番号に通話料金が課金されている。この場合、携帯端末またはＳＩＭカードを忘れると、他人の携帯端末を借りれば、通話を行うことができるが、その借りた携帯端末に課金が行われてしまう。
【０００４】
この問題を解決するために、課金番号指定サービスの方法としては、持ち主ａの発信端末１ａが発呼に際して、その使用者ｂが入力した被呼端末１ｃの番号と、使用者の一時変更に係る特番と、使用者ｂを特定するための端末番号とを伴って発呼するとともに、これを受け付けた網側装置が、該呼の課金先端末番号またはナンバーディスプレイサービスに係る発信元の端末番号を、本来ならば、発信端末１ａの番号にすべきところ、これを使用者ｂを特定する端末番号に一時的に変更する方法がある。これによって、この課金番号指定サービスの方法では、他人の通信端末を自分の端末のように気兼ねなく、安心して使用することができる。
【０００５】
【特許文献１】特開２００３−１２５０８１号公報
【発明の開示】
【発明が解決しようとする課題】
【０００６】
上述した課金番号指定サービスの方法では、携帯端末またはＳＩＭカードを忘れると、本来であれば、携帯端末での通話が不可能になるという問題がある。例えば、友人と旅行中に電話を掛けたいが、自分の携帯端末を忘れてしまい、公衆電話もない場合には、友人に携帯端末を借りることになるが、友人の携帯端末にて課金が行われるという迷惑を掛けることとなる。
【０００７】
この問題を解決するために、上記の特許文献１に記載の技術では、持ち主ａの発信端末１ａが発呼に際して、その使用者ｂが入力した被呼端末１ｃの番号と、使用者の一時変更に係る特番と、使用者ｂを特定するための端末番号とを伴って発呼するとともに、これを受け付けた網側装置が、該呼の課金先端末番号またはナンバーディスプレイサービスに係る発信元の端末番号を使用者ｂを特定する端末番号に一時的に変更している。
【０００８】
しかしながら、上記の特許文献１に記載の技術では、１回の通話毎に上記の処理を行わねばならず、自分の携帯端末のキャリア（通信事業者）と借りる携帯端末のキャリアとが異なる場合には、キャリアをまたがった課金処理となるため、つまり異なるキャリア間で課金情報の授受を行わなければならないため、課金処理自体が複雑化してしまうという問題がある。
【０００９】
そこで、本発明の目的は上記の問題点を解消し、自分の通信端末のキャリアと借りる通信端末のキャリアとが異なる場合でも処理が複雑化することなく、他人の通信端末を自分の端末のように気兼ねなく、安心して使用することができる通信システム、交換機及びそれらに用いる課金番号指定サービス方法並びにそのプログラムを提供することにある。
【課題を解決するための手段】
【００１０】
本発明による通信システムは、通信端末間の通話を交換機にて中継する通信システムであって、
前記交換機は、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて予め登録する記憶手段と、通信元の通信端末から前記特定の入力番号の入力が特定操作によって行われた時に当該特定の入力番号に対応する前記課金番号を前記記憶手段から検索する手段と、その検索された課金番号を使用して前記通信元の通信端末と通信先の通信端末との通話を設定する手段とを備えている。
【００１１】
本発明による交換機は、通信端末間の通話を中継する交換機であって、
少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて予め登録する記憶手段と、通信元の通信端末から前記特定の入力番号の入力が特定操作によって行われた時に当該特定の入力番号に対応する前記課金番号を前記記憶手段から検索する手段と、その検索された課金番号を使用して前記通信元の通信端末と通信先の通信端末との通話を設定する手段とを備えている。
【００１２】
本発明による課金番号指定サービス方法は、通信端末間の通話を交換機にて中継する通信システムに用いる課金番号指定サービス方法であって、
前記交換機が、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて記憶手段に予め登録する処理と、通信元の通信端末から前記特定の入力番号の入力が特定操作によって行われた時に当該特定の入力番号に対応する前記課金番号を前記記憶手段から検索する処理と、その検索された課金番号を使用して前記通信元の通信端末と通信先の通信端末との通話を設定する処理とを実行している。
【００１３】
本発明による課金番号指定サービス方法のプログラムは、通信端末間の通話を交換機にて中継する通信システムに用いる課金番号指定サービス方法のプログラムであって、前記交換機のコンピュータに、少なくとも前記通信端末の所有者の識別情報及びパスワードからなる特定の入力番号と少なくとも通信料の後払い用のクレジットカードの番号及び通信料の前払い用のプリペイドカードの番号のいずれかを示す課金番号とを対応させて記憶手段に予め登録する処理と、通信元の通信端末から前記特定の入力番号の入力が特定操作によって行われた時に当該特定の入力番号に対応する前記課金番号を前記記憶手段から検索する処理と、その検索された課金番号を使用して前記通信元の通信端末と通信先の通信端末との通話を設定する処理とを実行させている。
【００１４】
すなわち、本発明の通信システムは、交換機に識別情報及びパスワードからなる「特定の入力番号」と、それに対応する「課金番号（例えば、通信料の後払い用のクレジット番号や通信料の前払い用のプリペイド番号等）」とを関連付けて登録しておき、交換機が通信端末からの発信時に、登録されている識別情報及びパスワードからなる「特定の入力番号」の入力が特定の操作によって行われた場合、通信端末の「本来の課金番号」を課金番号とせず、「特定の入力番号」に関連付けて登録されている「課金番号」への課金を行って通信端末と通話先の通信端末との間の通話を設定している。
【００１５】
これによって、本発明の通信システムでは、予め通信端末の課金番号指定サービスに登録しておくことによって、自分の通信端末またはＳＩＭ（Ｓｕｂｓｃｒｉｂｅｒ  Ｉｄｅｎｔｉｔｙ  Ｍｏｄｕｌｅ）カードを持っていなくても、他人の通信端末を借りて通話先の通信端末との通話が可能となり、どの通信端末からでも自分の課金番号での通話が可能となる。
【００１６】
よって、本発明の通信システムでは、自分の通信端末のキャリア（通信事業者）と借りる通信端末のキャリアとが異なる場合でも、異なるキャリア間で課金情報の授受を行う必要がなくなるため、課金処理が複雑化することなく、他人の通信端末を自分の端末のように気兼ねなく、安心して使用することが可能となる。
【発明の効果】
【００１７】
本発明は、以下に述べるような構成及び動作とすることで、自分の通信端末のキャリアと借りる通信端末のキャリアとが異なる場合でも処理が複雑化することなく、他人の通信端末を自分の端末のように気兼ねなく、安心して使用することができるという効果が得られる。
【発明を実施するための最良の形態】
【００１８】
次に、本発明の実施例について図面を参照して説明する。図１は本発明の一実施例による通信システムの構成を示すブロック図である。図１においては、本発明の一実施例による通信システムとして、移動電話方式の携帯端末２−１，２−２を用いる移動通信システムに示している。
【００１９】
図１において、本発明の一実施例による通信システムは交換機１と、携帯端末２−１，２−２とから構成されている。交換機１は本来の課金番号１２と、特定の入力番号［ＩＤ（識別情報）及びパスワード］１３と、その特定の入力番号１３に対応付けられた課金番号（例えば、加入者の通信料の後払い用のクレジットカードの番号や通信料の前払い用のプリペイドカードの番号等）１４とを保持する記憶手段１１を備えている。
【００２０】
図２は本発明の一実施例による通信システムの動作を示すブロック図である。これら図１及び図２を参照して本発明の一実施例による通信システムの動作について説明する。交換機１を所有するキャリア（通信事業者）は、携帯端末２−３の加入者３からの依頼によって、「特定の入力番号１３」とそれに対応する「課金番号１４」とを関連付けて登録する（図２のａ１参照）。ここで、「特定の入力番号１３」は「ＩＤ番号１３１＋パスワード１３２」とする。
【００２１】
加入者３は（他の加入者の）携帯端末２−１からの発信時に、「携帯端末の課金番号指定サービス」のアクセス番号ａ２をダイヤルする。交換機１はアクセス番号ａ２を受信すると、携帯端末２−１にアナウンスａ３（「ＩＤ番号＋パスワードをダイヤルして下さい」のメッセージのアナウンス）を流す。加入者３は携帯端末２−１から「ＩＤ番号１３１＋パスワード１３２」をダイヤルする（図２のａ４参照）。
【００２２】
交換機１は「ＩＤ番号１３１＋パスワード１３２」を受信すると、携帯端末２−１にアナウンスａ５（「着信番号をダイヤルしてください」のメッセージのアナウンス）を流す。加入者３は携帯端末２−１から「着信番号ａ６」（着信先は携帯端末２−２）をダイヤルする。
【００２３】
交換機１は「着信番号ａ６」を受信すると、携帯端末２−１と携帯端末２−２との通話を設定する（図２のａ７参照）。この時、交換機１は課金番号として「ＩＤ番号１３１＋パスワード１３２」に対応する課金番号（この場合、加入者３のクレジットカードの番号やプリペイドカードの番号等）を使用し、その課金情報を対応する課金サーバ（クレジットカードやプリペイドカードを扱う事業者のサーバ）（図示せず）に通知する。
【００２４】
その際、交換機１は自分の携帯端末２−３のキャリアと借りる携帯端末２−１のキャリアとが異なる場合、携帯端末２−１に対する課金を携帯端末２−３に振り替えるために、キャリア間で課金情報の授受を行わなければならないが、本実施例では、その課金情報をクレジットカードやプリペイドカードを扱う事業者のサーバに通知するだけで済むため、キャリア間での課金情報の授受を伴う複雑な課金処理が不要となる。
【００２５】
図３は図２の交換機１の構成を示すブロック図である。図３においては、交換機１による携帯端末２−３への課金番号指定サービスを実現するための構成例を示している。つまり、交換機１は記憶手段１１と、課金番号指定サービス登録機能１５と、課金番号指定サービス実行機能１６とから構成されている。
【００２６】
課金番号指定サービス登録機能１５は「ＩＤ番号１３１＋パスワード１３２」とからなる「特定の入力番号１３」と「課金番号１４」とを関連付け、課金番号指定サービス登録エリア１１１への登録を行うとともに、課金番号指定サービス登録エリア１１１に登録済みの「ＩＤ番号１３１＋パスワード１３２」とからなる「特定の入力番号１３」と「課金番号１４」との対応付けの登録解除を行う。
【００２７】
課金番号指定サービス実行機能１６はアクセス番号を受信し、サービスを開始するとともに、「ＩＤ番号１３１＋パスワード１３２」とからなる「特定の入力番号１３」と「着信番号ａ６」との入力待ち状態にする。課金番号指定サービス実行機能１６は「ＩＤ番号１３１＋パスワード１３２」とからなる「特定の入力番号１３」を受信すると、課金番号指定サービス登録エリア１１１からその受信情報に対応する「課金番号１４」を検索する。
【００２８】
その後に、課金番号指定サービス実行機能１６は「着信番号ａ６」を受信すると、「ＩＤ番号１３１＋パスワード１３２」とからなる「特定の入力番号１３」に関連付けられた「課金番号１４」を使用し、着信先との通話を設定する。この場合、課金番号指定サービス実行機能１６は「課金番号１４」を使用し、その課金情報を対応する課金サーバに通知する。
【００２９】
課金番号指定サービス登録エリア１１１は「ＩＤ番号１３１＋パスワード１３２」とからなる「特定の入力番号１３」と「課金番号１４」とを関連付けて登録するエリアである。
【００３０】
図４は図２の交換機１の具体的な構成を示すブロック図である。図４において、交換機１はＣＰＵ（中央処理装置）２１と、ＣＰＵ２１が実行する制御プログラム２２ａを格納するメインメモリ２２と、ＣＰＵ２１が制御プログラム２２ａを実行する際に作業領域として用いる記憶手段１１と、通信端末２−１〜２−３等との通信を制御する第１の通信制御部２３と、クレジットカードやプリペイドカードを扱う事業者のサーバ（課金サーバ）との通信を制御する第２の通信制御部２４とから構成されており、ＣＰＵ２１とメインメモリ２２と記憶手段１１と第１の通信制御部２３と第２の通信制御部２４とはそれぞれ内部バス２１０にて相互に接続されている。
【００３１】
尚、記憶手段１１は上述した課金番号指定サービス登録エリア１１１を備えている。また、上記の課金番号指定サービス登録機能１５及び課金番号指定サービス実行機能１６の動作は交換機１のＣＰＵ２１が制御プログラム２２ａを実行することで実現される。
【００３２】
図５は図３の課金番号指定サービス登録機能１５の動作例を示す図である。この図５を参照して課金番号指定サービス登録機能１５による課金番号指定サービス登録エリア１１１の登録動作について説明する。
【００３３】
課金番号指定サービス登録機能１５は携帯端末２−３の課金番号指定サービスの登録を行う場合、指定された「ＩＤ番号Ａ１＋パスワードＢ１」と「課金番号Ｃ１」とを関連付け、課金番号指定サービス登録エリア１１１に登録する（図５のｂ１参照）。
【００３４】
また、課金番号指定サービス登録機能１５は携帯端末２−３の課金番号指定サービスの登録解除を行う場合、指定された「ＩＤ番号Ａ２＋パスワードＢ２」と「課金番号Ｃ２」との関連付けを課金番号指定サービス登録エリア１１１から登録解除する（図５のｂ２参照）。
【００３５】
ここで、課金番号指定サービス登録エリア１１１ａは登録処理ｂ１前の登録内容を示し、課金番号指定サービス登録エリア１１１ｂは登録処理ｂ１後の登録内容を示し、課金番号指定サービス登録エリア１１１ｃは登録解除処理ｂ２後の登録内容を示している。
【００３６】
図６は図３の課金番号指定サービス実行機能１６の動作例を示す図である。この図６を参照して課金番号指定サービス実行機能１６による課金番号指定サービス登録エリア１１１の内容に基づいた課金番号指定サービスの実行動作について説明する。
【００３７】
課金番号指定サービス実行機能１６は携帯端末２−１から課金番号指定サービスのアクセス番号を受信した場合（図６のｃ１）、その携帯端末２−１に対して「ＩＤ番号１３１＋パスワード１３２をダイヤルして下さい」とアナウンスを流し（図６のｃ２）、「ＩＤ番号１３１＋パスワード１３２」を受信できる状態にする（図６のｃ３）。
【００３８】
課金番号指定サービス実行機能１６は携帯端末２−１から「ＩＤ番号Ａ３＋パスワードＢ３」を受信した場合（図６のｄ１）、「ＩＤ番号Ａ３＋パスワードＢ３」をキーにして課金番号指定サービス登録エリア１１１を検索し（図６のｄ２，ｄ３）、対応する課金番号Ｃ３を決定する（図６のｄ４）。その後に、課金番号指定サービス実行機能１６は「着信番号をダイヤルして下さい」とアナウンスを流し、着信番号を受信できる状態にする（図６のｄ５）。
【００３９】
課金番号指定サービス実行機能１６は携帯端末２−１から「着信番号Ｄ３」を受信した場合（図６のｅ１）、「課金番号Ｃ３」を課金番号として使用し（図６のｅ２，ｅ３）、「着信番号Ｄ３」との通話を設定する（図６のｅ４）。
【００４０】
このように、本実施例では、予め課金番号指定サービスに登録しておくこと、つまり交換機１に識別情報及びパスワードからなる「特定の入力番号」と、それに対応する「課金番号（例えば、クレジット番号やプリペイド番号等）」とを関連付けて登録しておくことによって、交換機１が携帯端末２−１からの発信時に、登録されている識別情報及びパスワードからなる「特定の入力番号」の入力が特定の操作によって行われた場合、携帯端末２−１の「本来の課金番号」を課金番号とせず、「特定の入力番号」に関連付けて登録されている「課金番号」への課金を行って、携帯端末２−１と通話先の携帯端末２−２との間の通話を設定している。
【００４１】
これによって、本発明の通信システムでは、自分の携帯端末２−３またはＳＩＭ（Ｓｕｂｓｃｒｉｂｅｒ  Ｉｄｅｎｔｉｔｙ  Ｍｏｄｕｌｅ）カードを持っていなくても、他人の携帯端末２−１を借りて通話先の携帯端末２−２との通話ができ、どの携帯端末からでも自分のクレジット番号やプリペイド番号等にて通話を行うことができる。
【００４２】
よって、本実施例では、自分の携帯端末２−３のキャリアと借りる携帯端末２−１のキャリアとが異なる場合でも、異なるキャリア間で課金情報の授受を行う必要がなくなるため、課金処理が複雑化することなく、他人の通信端末を自分の端末のように気兼ねなく、安心して使用することができる。
【００４３】
尚、上記の実施例では携帯端末による移動通信（無線通信）について述べているが、本発明は移動通信でなく、有線通信（加入線）でも実現することができ、これに限定されない。
【図面の簡単な説明】
【００４４】
【図１】本発明の一実施例による通信システムの構成を示すブロック図である。
【図２】本発明の一実施例による通信システムの動作を示すブロック図である。
【図３】図２の交換機の構成を示すブロック図である。
【図４】図２の交換機の具体的な構成を示すブロック図である。
【図５】図３の課金番号指定サービス登録機能の動作例を示す図である。
【図６】図３の課金番号指定サービス実行機能の動作例を示す図である。
【符号の説明】
【００４５】
１  交換機
２−１〜２−３  携帯端末
３  加入者
１１  記憶手段
１２  本来の課金番号
１３  特定の入力番号
１４，Ｃ１〜Ｃ３  課金番号
１５  課金番号指定サービス登録機能
１６  課金番号指定サービス実行機能
２１  ＣＰＵ
２２  メインメモリ
２２ａ  制御プログラム
２３  第１の通信制御部
２４  第２の通信制御部
１１１，
１１１ａ〜１１１ｃ  課金番号指定サービス登録エリア
１３１，Ａ１〜Ａ３  ＩＤ番号
１３２，Ｂ１〜Ｂ３  パスワード
２１０  内部バス
Ｄ３  着信番号
【図１】
2007043434.tif 000003
【図２】
2007043434.tif 000004
【図３】
2007043434.tif 000005
【図４】
2007043434.tif 000006
【図５】
2007043434.tif 000007
【図６】
2007043434.tif 000008